(57)【要約】【課題】主映像と副映像とを分離表示可能とし、重畳表示した場合であっても重畳部分の主映像と副映像とを明確に区別し易い映像表示装置、映像表示システムおよび映像表示方法を提供すること。【解決手段】外部から入力される映像データに基づく主映像に、オンスクリーン機能に基づく副映像を重畳表示自在な映像表示装置、映像表示システムおよび映像表示方法。映像表示装置１は、副映像の重畳表示或いは非表示を選択するメニュー表示釦２ａと、副映像を映像表示装置又は外部へ出力させると切替釦２ｂを備え、メニュー表示釦により副映像の重畳表示を選択した場合に、切替釦によって副映像を外部に出力し、主映像と副映像とを分離表示可能とした。【選択図】        図２
2006234909.tif 000002
【特許請求の範囲】
【請求項１】
外部から入力される映像データに基づく主映像に、オンスクリーン機能に基づく副映像を重畳表示自在な映像表示装置であって、
前記副映像の重畳表示或いは非表示を選択する表示選択手段と、
前記副映像を当該映像表示装置又は外部へ出力させる出力先選択手段と、
を備え、
前記表示選択手段により前記副映像の重畳表示を選択した場合に、前記出力先選択手段によって前記副映像を外部に出力し、前記主映像と前記副映像とを分離表示可能としたことを特徴とする映像表示装置。
【請求項２】
前記主映像および前記副映像の映像信号をそれぞれ信号処理し、前記副映像を前記主映像にフェードインさせる信号処理手段を備えていることを特徴とする請求項１に記載の映像表示装置。
【請求項３】
前記信号処理手段は、前記副映像の外枠に影を施す画像信号を出力することを特徴とする請求項２に記載の映像表示装置。
【請求項４】
前記信号処理手段は、時間経過に伴って前記影の位置を変化させることを特徴とする請求項３に記載の映像表示装置。
【請求項５】
前記副映像の重畳表示を音響によって告知する音響出力部を備えていることを特徴とする請求項２〜４のいずれか一つに記載の映像表示装置。
【請求項６】
前記副映像の外部への出力先は、少なくとも前記映像データを当該映像表示装置に出力するデータ出力手段であることを特徴とする請求項１〜５のいずれか一つに記載の映像表示装置。
【請求項７】
前記映像表示装置はプロジェクタ装置であり、
前記データ出力手段は、前記主映像と前記副映像とを重畳表示自在なディスプレイ手段を有する情報処理装置であることを特徴とする請求項６に記載の映像表示装置。
【請求項８】
前記映像表示装置はプロジェクタ装置であり、
前記データ出力手段は映像再生装置であることを特徴とする請求項６に記載の映像表示装置。
【請求項９】
前記映像表示装置はテレビジョン受信機であり、
前記データ出力手段は前記主映像と前記副映像とを重畳表示自在なディスプレイ手段を有する電子撮像装置であることを特徴とする請求項６に記載の映像表示装置。
【請求項１０】
外部から映像データを入力するデータ出力手段と、前記映像データに基づく主映像にオンスクリーン機能に基づく副映像を重畳表示自在な映像表示装置とを備えた映像表示システムであって、
前記映像表示装置は、
前記副映像の重畳表示或いは非表示を選択する表示選択手段と、
前記副映像を当該映像表示装置又は外部へ出力させる出力先選択手段と、
を備え、
前記表示選択手段により前記副映像の重畳表示を選択した場合に、前記出力先選択手段によって前記副映像を外部に出力し、前記主映像と前記副映像とを分離表示可能としたことを特徴とする映像表示システム。
【請求項１１】
表示手段の外部から入力される映像データに基づく主映像に、オンスクリーン機能に基づく副映像を重畳表示自在な映像表示方法であって、
前記副映像の重畳表示或いは非表示を選択する表示選択工程と、
前記副映像を前記表示手段の内部或いは外部へ出力する出力先選択工程と、
を含み、
前記表示選択工程において前記副映像の重畳表示を選択した場合に、前記出力先選択工程において前記副映像を前記表示手段の外部に出力し、前記主映像と前記副映像とを分離表示させることを特徴とする映像表示方法。
【発明の詳細な説明】
【技術分野】
【０００１】
本発明は、映像表示装置、映像表示システムおよび映像表示方法に関するものである。
【背景技術】
【０００２】
従来、プロジェクタ装置、ＣＲＴディスプレイや液晶ディスプレイ等の映像表示装置は、表示する主映像に対して副映像、例えば、主映像の明るさやコントラスト、各種歪み調整等、映像調整のためのメニュー画面を重畳させて表示し、メニュー画面上で各種調整を行うオンスクリーン機能を備えている。このため、映像表示装置は、メニュー画面の表示位置が主映像の邪魔にならないように制御手段によって移動させるものがあった（例えば、特許文献１参照。）。
【０００３】
【特許文献１】特開平８−１８６７７４号公報
【発明の開示】
【発明が解決しようとする課題】
【０００４】
しかしながら、特許文献１に開示されたものを含め、映像表示装置は、主映像の表示領域内でメニュー画面の表示位置を移動するため、メニュー画面が重なっている主映像の領域が見えなくなるうえ、メニュー画面を移動させている間、主映像が隠されてしまうという問題があった。この場合、映像表示装置の操作者は、映像調整のためにメニュー画面は必須であるが、主映像を目的とする視聴者にとってメニュー画面は不要な場合が多い。また、映像表示装置は、主映像にメニュー画面を重畳すると、重畳した部分の主映像とメニュー画面とが紛らわしく明確に区別し難いという問題があった。
【０００５】
本発明は、上記に鑑みてなされたものであって、主映像と副映像とを分離表示可能とし、重畳表示した場合であっても重畳部分の主映像と副映像とを明確に区別し易い映像表示装置、映像表示システムおよび映像表示方法を提供することを目的とする。
【課題を解決するための手段】
【０００６】
上述した課題を解決し、目的を達成するために、請求項１に係る映像表示装置は、外部から入力される映像データに基づく主映像に、オンスクリーン機能に基づく副映像を重畳表示自在な映像表示装置であって、前記副映像の重畳表示或いは非表示を選択する表示選択手段と、前記副映像を当該映像表示装置又は外部へ出力させる出力先選択手段と、を備え、前記表示選択手段により前記副映像の重畳表示を選択した場合に、前記出力先選択手段によって前記副映像を外部に出力し、前記主映像と前記副映像とを分離表示可能としたことを特徴とする。
【０００７】
また、請求項２に係る映像表示装置は、上記の発明において、前記主映像および前記副映像の映像信号をそれぞれ信号処理し、前記副映像を前記主映像にフェードインさせる信号処理手段を備えていることを特徴とする。
【０００８】
また、請求項３に係る映像表示装置は、上記の発明において、前記信号処理手段は、前記副映像の外枠に影を施す画像信号を出力することを特徴とする。
【０００９】
また、請求項４に係る映像表示装置は、上記の発明において、前記信号処理手段は、時間経過に伴って前記影の位置を変化させることを特徴とする。
【００１０】
また、請求項５に係る映像表示装置は、上記の発明において、前記副映像の重畳表示を音響によって告知する音響出力部を備えていることを特徴とする。
【００１１】
また、請求項６に係る映像表示装置は、上記の発明において、前記副映像の外部への出力先は、少なくとも前記映像データを当該映像表示装置に出力するデータ出力手段であることを特徴とする。
【００１２】
また、請求項７に係る映像表示装置は、上記の発明において、前記映像表示装置はプロジェクタ装置であり、前記データ出力手段は、前記主映像と前記副映像とを重畳表示自在なディスプレイ手段を有する情報処理装置であることを特徴とする。
【００１３】
また、請求項８に係る映像表示装置は、上記の発明において、前記映像表示装置はプロジェクタ装置であり、前記データ出力手段は映像再生装置であることを特徴とする。
【００１４】
また、請求項９に係る映像表示装置は、上記の発明において、前記映像表示装置はテレビジョン受信機であり、前記データ出力手段は前記主映像と前記副映像とを重畳表示自在なディスプレイ手段を有する電子撮像装置であることを特徴とする。
【００１５】
また、上述した課題を解決し、目的を達成するために、請求項１０に係る映像表示システムは、外部から映像データを入力するデータ出力手段と、前記映像データに基づく主映像にオンスクリーン機能に基づく副映像を重畳表示自在な映像表示装置とを備えた映像表示システムであって、前記映像表示装置は、前記副映像の重畳表示或いは非表示を選択する表示選択手段と、前記副映像を当該映像表示装置又は外部へ出力させる出力先選択手段と、を備え、前記表示選択手段により前記副映像の重畳表示を選択した場合に、前記出力先選択手段によって前記副映像を外部に出力し、前記主映像と前記副映像とを分離表示可能としたことを特徴とする。
【００１６】
また、上述した課題を解決し、目的を達成するために、請求項１１に係る映像表示方法は、表示手段の外部から入力される映像データに基づく主映像に、オンスクリーン機能に基づく副映像を重畳表示自在な映像表示方法であって、前記副映像の重畳表示或いは非表示を選択する表示選択工程と、前記副映像を前記表示手段の内部或いは外部へ出力する出力先選択工程と、を含み、前記表示選択工程において前記副映像の重畳表示を選択した場合に、前記出力先選択工程において前記副映像を前記表示手段の外部に出力し、前記主映像と前記副映像とを分離表示させることを特徴とする。
【００１７】
ここで、本明細書において、主映像とは、映像表示装置或いはデータ出力手段のディスプレイ手段のほぼ全面に表示される映像をいい、副映像とは、映像表示装置或いはデータ出力手段のディスプレイ手段の一部に主映像に重畳して表示され、例えば、文字，記号，図形等を含むメニュー画面等の映像をいうものとする。
【発明の効果】
【００１８】
本発明にかかる映像表示装置、映像表示システムおよび映像表示方法は、副映像の重畳表示或いは非表示を選択する表示選択手段と、前記副映像を映像表示装置又は外部へ出力させる出力先選択手段とを備えているので、前記表示選択手段により前記副映像の重畳表示を選択した場合に、前記出力先選択手段によって前記副映像を外部に出力することによって、前記主映像と前記副映像とを分離表示することができ、重畳表示した場合であっても重畳部分の主映像と副映像とを明確に区別し易いという効果を奏する。
【発明を実施するための最良の形態】
【００１９】
以下、本発明の映像表示装置、映像表示システムおよび映像表示方法にかかる実施の形態について、図面を参照しつつ詳細に説明する。
【００２０】
（実施の形態１）
図１は、プロジェクタ装置とパーソナルコンピュータ装置（以下「ＰＣ装置」という）とを備えた実施の形態１に係る映像表示システムを示す斜視図である。図２は、図１の映像表示システムを構成するプロジェクタ装置とＰＣ装置の概略構成を示すブロック図である。
【００２１】
映像表示システム１は、図１に示すように、ＤＬＰ（Digital Light Processing）方式のプロジェクタ装置２とＰＣ装置３を備えており、ＰＣ装置３から入力される映像データに基づく主映像Ｉmをスクリーン７に投影する。このとき、映像表示システム１は、プロジェクタ装置２からＰＣ装置３に信号を伝送する伝送ケーブル４と、ＰＣ装置３からプロジェクタ装置２に信号を伝送する伝送ケーブル５とによってプロジェクタ装置２とＰＣ装置３との間が接続されている。
【００２２】
プロジェクタ装置２は、オンスクリーン機能を有する映像表示装置であり、図２に示すように、メニュー表示釦２ａ、切替釦２ｂ、スピーカ２ｃ、通信部２ｄ、制御部２ｅ、信号処理部２ｇ、像形成部２ｈ、光源２ｊ及び投影光学系２ｎ等を有し、制御部２ｅの制御の下に、ＰＣ装置３から入力される映像データから可視像を形成し、投影像としてスクリーンに投影する。
【００２３】
メニュー表示釦２ａは、副映像であるメニュー画面の表示，非表示を選択するオンオフスイッチからなる表示選択手段であり、オンするとメニュー読み込み信号が制御部２ｅに出力される。切替釦２ｂは、メニュー画面をＰＣ装置３とスクリーン７のいずれに出力するかを選択するオンオフスイッチからなる出力先選択手段であり、図３に示すように、スクリーン７のみへの表示を選択するスクリーン釦２ｂ１、スクリーン７とＰＣ装置３の双方への表示を選択する両方釦２ｂ２、ＰＣ装置３のみへの表示を選択するモニタ釦２ｂ３の３つの釦を有しており、押す釦を変更することによってメニュー画面の出力先（表示先）が切り替わる。ここで、プロジェクタ装置２は、メニュー表示釦２ａをオンしてメニュー画面の表示を選択した場合、メニュー画面がスクリーン７に主映像と重畳して表示されるように初期状態が設定されている。スピーカ２ｃは、ＰＣ装置３から入力される音響データを音響として出力するほか、スクリーン７へのメニュー画面の表示を告知する効果音を発する。通信部２ｄは、ＰＣ装置３の通信部３ｄと通信してＰＣ装置３から映像データおよび音響データを受信する。制御部２ｅは、メモリ２ｆに記憶された作業手順に従ってプロジェクタ装置２の各部の作動を制御し、ＰＣ装置３から入力される映像データおよび音響データに基づいて可視像および音響を再生する。また、制御部２ｅは、メニュー表示釦２ａから出力されたメニュー読み込み信号に基づいてメモリ２ｆから副映像用のメニューデータを読み込み、メニュー表示信号を生成して信号処理部２ｇへ出力する。
【００２４】
メモリ２ｆは、前記作業手順のほか、メニュー画面用のメニューデータが記録されている。信号処理部２ｇは、主映像およびメニュー画面の映像信号をそれぞれ信号処理し、主映像にメニュー画面をフェードインさせるスーパーインポーズ回路を備えており、ＰＣ装置３から送信される映像データや音響データに関する映像信号や音響信号を信号処理して投影画像データや音響データへの変換、メニュー表示信号の映像信号への重畳処理、メニュー表示信号のメニュー信号出力部２ｉ又は映像信号に重畳したメニュー表示信号の像形成部２ｈへの出力等を行う。像形成部２ｈは、信号処理部２ｇから入力される映像データと照明光学系２ｍから出射される三原色の照明光とを用いてカラー画像を形成するもので、デジタルマイクロミラーデバイス（ＤＭＤ，登録商標）を使用しているが、カラー液晶パネルの使用も可能である。光源２ｊは、出射する白色光をカラーフィルタ２ｋによってＲ，Ｇ，Ｂの三原色の照明光に分離して照明光学系２ｍへ出射するもので、メタルハライドランプやハロゲンランプ等の高輝度光源が使用される。照明光学系２ｍは、カラーフィルタ２ｋから出射される三原色の照明光を均一に集束させて像形成部２ｈへ出射する。投影光学系２ｎは、像形成部２ｈで形成されたカラー画像をスクリーンに投影する拡大光学系である。
【００２５】
ＰＣ装置３は、映像データを外部からプロジェクタ装置２に出力するデータ出力手段であり、メモリ３ａ、入力操作を行うキーボード等の操作部３ｂ、制御部３ｃ、通信部３ｄ、カラー液晶パネル等のディスプレイ３ｅ、信号処理部３ｆおよび映像信号入力部３ｇを有している。ＰＣ装置３は、映像データおよび音響データをメモリ３ａに保持し、映像データおよび音響データを信号処理部３ｆで信号化処理した後、映像信号および音響信号として、通信部３ｄ，通信部２ｄ，制御部２ｅを経て信号処理部２ｇに入力する。
【００２６】
映像表示システム１は、以上のように構成され、図５に示すフローチャートを参照して主映像の表示手順を、主映像とメニュー画面の分離表示及び重畳表示と共に説明する。先ず、プロジェクタ装置２およびＰＣ装置３のスイッチをオンして映像表示システム１を起動すると、ＰＣ装置３は、信号処理部３ｆで信号化処理した映像信号および音響信号をプロジェクタ装置２に出力すると共に、映像信号に基づく映像をディスプレイ３ｅに表示する。一方、プロジェクタ装置２においては、制御部２ｅが、ＰＣ装置３から出力された映像信号および音響信号を信号処理部２ｇに処理させ、投影画像データや音響データへ変換させる。
【００２７】
次に、制御部２ｅは、信号処理部２ｇから出力される映像データと照明光学系２ｍから出射される三原色の照明光とを用いて像形成部２ｈにカラー画像を形成させ、このカラー画像を投影光学系２ｎによってスクリーン７に主映像として投影させる（ステップＳ１００）。このとき、映像表示システム１は、図１に示すように、ＰＣ装置３のディスプレイ３ｅに主映像Ｉmを表示すると共に、スクリーン７に主映像Ｉmを投影している。また、制御部２ｅは、音響データをスピーカ２ｃに出力し、スピーカ２ｃから音響として出力させる。
【００２８】
次に、制御部２ｅは、メニュー表示釦２ａがオンされているか否かを判定する（ステップＳ１０２）。メニュー表示釦２ａがオンされていない場合（ステップＳ１０２，Ｎｏ）、制御部２ｅは、ステップＳ１０２の判定を繰り返す。一方、メニュー表示釦２ａがオンされている場合（ステップＳ１０２，Ｙｅｓ）、制御部２ｅは、メニュー表示釦２ａから出力されたメニュー読み込み信号に基づいてメモリ２ｆから副映像用のメニューデータを読み込み、メニュー表示信号を生成する（ステップＳ１０４）。このとき、制御部２ｅは、生成したメニュー表示信号を信号処理部２ｇへ出力する。
【００２９】
次いで、制御部２ｅは、スクリーン釦２ｂ１がオンされているか否かを判定する（ステップＳ１０６）。スクリーン釦２ｂ１がオンされている場合（ステップＳ１０６，Ｙｅｓ）、制御部２ｅは、ステップＳ１１６へスキップする。一方、スクリーン釦２ｂ１がオンされていない場合（ステップＳ１０６，Ｎｏ）、制御部２ｅは、両方釦２ｂ２がオンされているか否かを判定する（ステップＳ１０８）。
【００３０】
両方釦２ｂ２がオンされている場合（ステップＳ１０８，Ｙｅｓ）、制御部２ｅは、信号処理部２ｇに制御信号を出力し、メニュー表示信号をメニュー信号出力部２ｉからＰＣ装置３へ出力させると共に、メニュー表示信号を映像信号に重畳させて像形成部２ｈへ出力させる。これにより、制御部２ｅは、スクリーン７上及びＰＣ画面、即ち、ＰＣ装置３のディスプレイ３ｅ上に主映像とメニュー画面を重畳表示する（ステップＳ１１０）。このとき、映像表示システム１は、図４に示すように、ＰＣ装置３のディスプレイ３ｅに主映像Ｉmとメニュー画面Ｓmを表示すると共に、スクリーン７に主映像Ｉmとメニュー画面Ｓmを投影している。
【００３１】
一方、両方釦２ｂ２がオンされていない場合（ステップＳ１０８，Ｎｏ）、制御部２ｅは、モニタ釦２ｂ３がオンされているか否かを判定する（ステップＳ１１２）。モニタ釦２ｂ３がオンされている場合（ステップＳ１１２，Ｙｅｓ）、制御部２ｅは、信号処理部２ｇに制御信号を出力し、メニュー表示信号をメニュー信号出力部２ｉからＰＣ装置３へ出力させる。これにより、制御部２ｅは、ＰＣ装置３のディスプレイ３ｅ上のみに主映像とメニュー画面を重畳表示する（ステップＳ１１４）。このとき、映像表示システム１は、図６に示すように、ＰＣ装置３のディスプレイ３ｅのみに主映像Ｉmとメニュー画面Ｓmを重畳表示し、スクリーン７には主映像Ｉmのみを投影している。
【００３２】
一方、モニタ釦２ｂ３がオンされていない場合（ステップＳ１１２，Ｎｏ）、制御部２ｅは、信号処理部２ｇに制御信号を出力し、メニュー表示信号を映像信号に重畳させて像形成部２ｈへ出力させる。これにより、制御部２ｅは、スクリーン７のみに主映像とメニュー画面を重畳表示する（ステップＳ１１６）。このとき、映像表示システム１は、図７に示すように、ＰＣ装置３のディスプレイ３ｅに主映像Ｉmだけを表示し、スクリーン７には主映像Ｉmとメニュー画面Ｓmを重畳して投影する。
【００３３】
その後、制御部２ｅは、メニュー表示釦２ａがオフされているか否かを判定する（ステップＳ１１８）。メニュー表示釦２ａがオフされていない場合（ステップＳ１１８，Ｎｏ）、制御部２ｅは、ステップＳ１１８の判定を繰り返す。一方、メニュー表示釦２ａがオフされている場合（ステップＳ１１８，Ｙｅｓ）、制御部２ｅは、メニュー画面の表示を終了する（ステップＳ１２０）。
【００３４】
次いで、制御部２ｅは、主映像の表示が終了しているか否かを判定する（ステップＳ１２２）。この判定は、プロジェクタ装置２のスイッチのオフによって実行され、主映像の表示が終了していない場合（ステップＳ１２２，Ｎｏ）、制御部２ｅは、ステップＳ１２２の判定を繰り返す。一方、プロジェクタ装置２のスイッチがオフされ、主映像の表示が終了している場合（ステップＳ１２２，Ｙｅｓ）、制御部２ｅは、主映像の表示処理を終了する。
【００３５】
ここで、映像表示システム１は、メニュー表示釦２ａをオンしてメニュー画面の表示を選択した場合、メニュー画面がスクリーン７に主映像と重畳して表示されるようにプロジェクタ装置２の初期状態が設定されている。また、映像表示システム１は、例えば、プレゼンテーション等に際してスクリーン７に投影されている主映像を調整する等の必要が生じた場合、操作者がスクリーン釦２ｂ１や両方釦２ｂ２をオンすることによって、主映像とメニュー画面とをスクリーン７に重畳表示することができる。但し、スクリーン７に主映像と調整用のメニュー画面とを重畳表示すると、メニュー画面が主映像を見ている視聴者の邪魔になって好ましくないことがある。このような場合、映像表示システム１の操作者は、切替釦２ｂのモニタ釦２ｂ３をオンする。すると、映像表示システム１は、メニュー画面がスクリーン７ではなくＰＣ装置３側に表示され、主映像と調整用のメニュー画面とを分離して表示することができる。このため、映像表示システム１は、メニュー画面が主映像を見ている視聴者の邪魔になることを回避することができる。
【００３６】
また、映像表示システム１は、主映像と調整用のメニュー画面とをスクリーン７に重畳表示する場合、信号処理部２ｇが備えているスーパーインポーズ回路により、図８に示すように、メニュー画面Ｓmと重なる主映像Ｉmの輝度を徐々に下げると共に、メニュー画面Ｓmの輝度を徐々に上げてゆくことにより、メニュー画面Ｓmを主映像Ｉmにフェードインさせるようにする。このように、メニュー画面を主映像にフェードインさせると、メニュー画面が主映像から浮き上がったように見える視覚効果のため、視聴者は、重畳部分の主映像と副映像とを明確に区別することができる。このとき、映像表示システム１は、制御部２ｅの制御の下に、スピーカ２ｃから効果音を発すると、主映像とメニュー画面がスクリーン７に重畳表示されている旨を告知して、主映像とメニュー画面とを明確に区別するように注意を喚起することができる。
【００３７】
また、図９に示すように、メニュー画面Ｓmは、信号処理部２ｇによって外周に影Ｓdを付けて強調表示してもよい。このとき、信号処理部２ｇは、図１０に示すように、時間経過に伴って影Ｓdの位置を変化させると、メニュー画面を一層強調することができる。
【００３８】
ここで、実施の形態１の映像表示システム１は、図１１に示すように、プロジェクタ装置２の通信部２ｄとＰＣ装置３の通信部３ｄとが無線通信によってＰＣ装置３から映像データおよび音響データを受信し、プロジェクタ装置２をリモコン８によって遠隔操作するようにしてもよい。このとき、プロジェクタ装置２は、リモコン８からの信号を受信する受信部２ｐが設けられ、プロジェクタ装置２およびＰＣ装置３は、通信部２ｄ，３ｄにそれぞれアンテナ２ｑ，３ｈが設けられている。
【００３９】
また、リモコン８は、図１２に示すように、電源キー８ａ、方向キー８ｂ、エンターキー８ｃ、メニュー表示キー８ｄ、キャンセルキー８ｅ、切替キー８ｆ及びテンキー８ｇを有している。切替キー８ｆは、メニュー画面をＰＣ装置３とスクリーン７のいずれに出力するかを選択するオンオフスイッチからなる出力先選択手段であり、スクリーン７のみへの表示を選択するスクリーン釦８ｆ１、スクリーン７とＰＣ装置３の双方への表示を選択する両方釦８ｆ２、ＰＣ装置３のみへの表示を選択するモニタ釦８ｆ３の３つのキーを有している。
【００４０】
このような構成としても、映像表示システム１は、主映像と調整用のメニュー画面とをスクリーン７とＰＣ装置３のディスプレイ３ｅとに分離して表示することができるため、メニュー画面が主映像を見ている視聴者の邪魔になることを回避することができる。しかも、映像表示システム１は、主映像と調整用のメニュー画面とをスクリーン７に重畳表示した場合に、信号処理部２ｇが備えているスーパーインポーズ回路により、メニュー画面を主映像にフェードインさせるたり、メニュー画面に影をつけることができる。また、映像表示システム１は、スピーカ２ｃから効果音を発することによって、主映像とメニュー画面がスクリーン７に重畳表示されている旨を告知して、主映像とメニュー画面とを明確に区別するように注意を喚起することができる。
【００４１】
（実施の形態２）
次に、本発明の実施の形態２について説明する。実施の形態１の映像表示システムは、プロジェクタ装置とＰＣ装置を使用していたが、実施の形態２の映像表示システムは、映像表示装置としてプロジェクタ装置を使用し、プロジェクタ装置に映像データを出力するデータ出力手段としてＤＶＤ（Digital Versatile Disc）プレイヤを使用している。図１３は、実施の形態２に係る映像表示システムを示す斜視図である。図１４は、図１３の映像表示システムを構成するプロジェクタ装置とＤＶＤプレイヤの概略構成を示すブロック図である。以下の説明において、実施の形態１と同一の構成部分には同一の符号を付している。
【００４２】
映像表示システム１０は、図１３に示すように、プロジェクタ装置２とＤＶＤプレイヤ１１を備えており、ＤＶＤプレイヤ１１から入力される映像データに基づく主映像Ｉmをスクリーン７に投影する。このとき、映像表示システム１０は、プロジェクタ装置２からＤＶＤプレイヤ１１に信号を伝送する伝送ケーブル１２と、ＤＶＤプレイヤ１１からプロジェクタ装置２に信号を伝送する伝送ケーブル１３とによってプロジェクタ装置２とＰＣ装置３との間が接続されている。
【００４３】
ＤＶＤプレイヤ１１は、映像データを外部からプロジェクタ装置２に出力するデータ出力手段であり、図１４に示すように、メモリ１１ａ、ＤＶＤプレイヤ１１を操作する操作部１１ｂ、制御部１１ｃ、通信部１１ｄ、デコーダ１１ｅ、ドライブユニット１１ｆおよび映像信号入力部１１ｇを有している。映像表示システム１０は、ドライブユニット１１ｆにＤＶＤを装着すると、制御部１１ｃの制御の下に、ドライブユニット１１ｆがＤＶＤから映像や音声の圧縮データを読み出してデコーダ１１ｅに出力し、デコーダ１１ｅが映像圧縮データや音響圧縮データを復調して伸長し、映像データおよび音響データに変換する。この後、映像表示システム１０は、映像データおよび音響データがＤＡ変換手段によってアナログビデオ信号に変換された後、通信部１１ｄからプロジェクタ装置２に出力され、図１３に示すように、主映像Ｉmがスクリーン７に投影されると共に、音響がスピーカ２ｃから出力される。
【００４４】
このとき、映像表示システム１０は、操作者がメニュー表示釦２ａをオンし、切替釦２ｂのスクリーン釦２ｂ１，両方釦２ｂ２，モニタ釦２ｂ３のいずれかをオンすることにより、メニュー画面の出力先（表示先）を、スクリーン７のみ、スクリーン７とＤＶＤプレイヤ１１の双方或いはＤＶＤプレイヤ１１のみと切り替えることができる。この場合、ＤＶＤプレイヤ１１は、ディスプレイを有していないので、両方釦２ｂ２やモニタ釦２ｂ３をオンしてもメニュー画面が表示されることはなく、メニュー画面をスクリーン７に表示（図１５参照）するか否かの選択ができるだけである。
【００４５】
但し、映像表示システム１０は、例えば、プレゼンテーション等に際してスクリーン７に投影されている主映像を調整する等の必要が生じたとき等に、図１５に示すように、操作者の操作によってスクリーン７に主映像Ｉmとメニュー画面Ｓmとを重畳表示すると、メニュー画面Ｓmが主映像Ｉmを見ている視聴者の邪魔になることがある。このような場合、操作者がモニタ釦２ｂ３をオンすると、スクリーン７は、図１３に示すように、メニュー画面Ｓmが消えて主映像Ｉmのみが表示されるため、メニュー画面が視聴者の邪魔になることを回避することができる。
【００４６】
また、映像表示システム１０は、主映像とメニュー画面とをスクリーン７に重畳表示した場合、実施の形態１の場合と同様に、信号処理部２ｇが備えているスーパーインポーズ回路により、メニュー画面を主映像にフェードインさせると、視聴者は、重畳部分の主映像と副映像とを明確に区別することができる。このとき、映像表示システム１０は、制御部２ｅの制御の下に、スピーカ２ｃから効果音を発すると、主映像とメニュー画面がスクリーン７に重畳表示されている旨を告知して、主映像とメニュー画面とを明確に区別するように注意を喚起することができる。さらに、メニュー画面は、実施の形態１の場合と同様に、信号処理部２ｇによって外周に影を付けて強調表示し、或いは、時間経過に伴って影の位置を変化させてもよい。
【００４７】
（実施の形態３）
次に、本発明の実施の形態３について説明する。実施の形態２の映像表示システムは、プロジェクタ装置とＤＶＤプレイヤを使用していたが、実施の形態３の映像表示システムは、映像表示装置としてテレビジョン受信機（以下「テレビ受信機」という）を使用し、テレビ受信機に映像データを出力するデータ出力手段としてデジタルビデオカメラ（以下、「デジタルカメラ」という）を使用している。図１６は、実施の形態３に係る映像表示システムを示す斜視図である。図１７は、図１６の映像表示システムを構成するテレビ受信機とデジタルカメラの概略構成を示すブロック図である。
【００４８】
映像表示システム２０は、図１６に示すように、テレビ受信機２１とデジタルカメラ２２を備えており、デジタルカメラ２２から入力される映像データに基づく主映像Ｉmをディスプレイ２１ｈに表示する。このとき、映像表示システム２０は、テレビ受信機２１からデジタルカメラ２２に信号を伝送する伝送ケーブル２３と、デジタルカメラ２２からテレビ受信機２１に信号を伝送する伝送ケーブル２４とによってテレビ受信機２１とデジタルカメラ２２との間が接続されている。
【００４９】
テレビ受信機２１は、オンスクリーン機能を有する映像表示装置であり、図１７に示すように、メニュー表示釦２１ａ、切替釦２１ｂ、スピーカ２１ｃ、入出力部２１ｄ、制御部２１ｅ、メモリ２１ｆ、信号処理回路２１ｇ、ディスプレイ２１ｈ及びチューナ２１ｊ等を有し、制御部２１ｅの制御の下に、デジタルカメラ２２から入力される映像データから映像をディスプレイ２１ｈに表示すると共に、デジタルカメラ２２から入力される音響データから音響をスピーカ２１ｃから出力する。ここで、チューナ２１ｊは、アンテナ２１ｋが受信した信号を検波した後、中間周波数処理部２１ｉにおいて映像信号と音響信号をＶＩＦ（Video Intermediate Frequency）増幅処理あるいはＳＩＦ（Sound Intermediate Frequency）処理を施し、映像をディスプレイ２１ｈに表示すると共に、音響をスピーカ２１ｃから出力する。また、信号処理回路２１ｇは、主映像およびメニュー画面の映像信号をそれぞれ信号処理し、主映像にメニュー画面をフェードインさせるスーパーインポーズ回路を備えている。
【００５０】
このとき、メニュー表示釦２１ａは、副映像であるメニュー画面の表示，非表示を選択するオンオフスイッチからなる表示選択手段であり、オンするとメニュー読み込み信号が制御部２１ｅに出力される。切替釦２１ｂは、メニュー画面をデジタルカメラ２２とディスプレイ２１ｈのいずれに出力するかを選択するオンオフスイッチからなる出力先選択手段であり、実施の形態１のプロジェクタ装置２と同様に、テレビ受信機２１のみへの表示を選択するテレビ釦、テレビ受信機２１とデジタルカメラ２２の双方への表示を選択する両方釦、デジタルカメラ２２のみへの表示を選択するモニタ釦の３つの釦を有しており、押す釦を変えることによってメニュー画面の出力先（表示先）が切り替わる。ここで、テレビ受信機２１は、メニュー表示釦２１ａをオンしてメニュー画面の表示を選択した場合、メニュー画面がディスプレイ２１ｈに主映像と重畳して表示されるように初期状態が設定されている。
【００５１】
デジタルカメラ２２は、映像データを外部からテレビ受信機２１に出力するデータ出力手段であり、制御部２２ａ、ディスプレイ２２ｂ、ＣＣＤ素子２２ｄ、Ａ／Ｄ変換回路２２ｆおよび記録媒体２２ｉを有している。デジタルカメラ２２は、制御部２２ａによって作動が制御され、レンズ２２ｃによって撮影した映像をＣＣＤ素子２２ｄが映像信号に変換する。ＣＣＤ素子２２ｄが変換した映像信号は、アンプ２２ｅによって増幅された後、Ａ／Ｄ変換回路２２ｆに出力されてデジタル信号に変換される。デジタル信号に変換された映像信号は、信号処理部２２ｇにおいて信号処理された後、入出力部２２ｈからテレビ受信機２１へ出力される。ここで、信号処理部２２ｇは、映像を再生するときには、記録媒体２２ｉから出力される映像信号を信号処理した後、ディスプレイ２２ｂ或いはテレビ受信機２１へ出力される。
【００５２】
このとき、映像表示システム２０は、操作者がメニュー表示釦２１ａをオンし、切替釦２１ｂのテレビ釦，両方釦，モニタ釦のいずれかをオンすることにより、メニュー画面の出力先（表示先）を、テレビ受信機２１のみ、テレビ受信機２１とデジタルカメラ２２の双方或いはデジタルカメラ２２のみと切り替えることができる。
【００５３】
但し、映像表示システム２０は、例えば、プレゼンテーション等に際してテレビ受信機２１のディスプレイ２１ｈに表示されている主映像Ｉmを調整する等の必要が生じたとき等に、図１８に示すように、操作者の操作によってディスプレイ２１ｈに主映像Ｉmとメニュー画面Ｓmとを重畳表示すると、メニュー画面Ｓmが主映像Ｉmを見ている視聴者の邪魔になることがある。このような場合、操作者が切替釦２１ｂのモニタ釦をオンすると、ディスプレイ２１ｈは、図１６に示すように、メニュー画面Ｓmが消えて主映像Ｉmのみが表示されるため、メニュー画面が視聴者の邪魔になることを回避することができる。
【００５４】
また、映像表示システム２０は、主映像とメニュー画面とをテレビ受信機２１のディスプレイ２１ｈに重畳表示した場合、信号処理回路２１ｇが備えているスーパーインポーズ回路により、メニュー画面を主映像にフェードインさせると、視聴者は、重畳部分の主映像と副映像とを明確に区別することができる。このとき、映像表示システム２０は、制御部２１ｅの制御の下に、スピーカ２１ｃから効果音を発すると、主映像とメニュー画面がディスプレイ２１ｈに重畳表示されている旨を告知して、主映像とメニュー画面とを明確に区別するように注意を喚起することができる。さらに、メニュー画面は、実施の形態１の場合と同様に、信号処理部２１ｇによって外周に影を付けて強調表示し、或いは、時間経過に伴って影の位置を変化させてもよい。
【００５５】
なお、実施の形態１〜３の映像表示システムにおいては、プロジェクタ装置２およびテレビ受信機２１は、メニュー表示釦２ａ，２１ａをオンしてメニュー画面の表示を選択した場合、メニュー画面がスクリーン７あるいはディスプレイ２１ｈに主映像と重畳して表示されるように初期状態が設定されたが、メニュー画面がＰＣ装置３やデジタルカメラ２２に主映像と重畳して表示されるように初期状態を設定してもよい。
【００５６】
また、実施の形態１〜３の映像表示システムは、データ出力手段としてＰＣ装置，ＤＶＤ装置或いはデジタルカメラを使用したが、映像表示装置へ映像データを出力することができるものであれば種々のものを使用可能である。
【図面の簡単な説明】
【００５７】
【図１】プロジェクタ装置とＰＣ装置とを備えた実施の形態１に係る映像表示システムを示す斜視図である。
【図２】図１の映像表示システムを構成するプロジェクタ装置とＰＣ装置の概略構成を示すブロック図である。
【図３】切替釦の３つの釦を示す図である。
【図４】ＰＣ装置とスクリーンに主映像とメニュー画面とを重畳表示した図１の映像表示システムの斜視図である。
【図５】主映像の表示手順を、主映像とメニュー画面の分離表示及び重畳表示と共に説明するフローチャートである。
【図６】ＰＣ装置のディスプレイのみに主映像とメニュー画面を重畳表示し、スクリーンに主映像のみを投影した図１の映像表示システムの斜視図である。
【図７】ＰＣ装置のディスプレイに主映像だけを表示し、スクリーンに主映像とメニュー画面を重畳して投影した図１の映像表示システムの斜視図である。
【図８】スクリーン上でメニュー画面を主映像にフェードインさせる様子を示す図である。
【図９】フェードインさせるときに、外周に影を付けて強調表示したメニュー画面の図である。
【図１０】図９のメニュー画面において、時間経過に伴って影の位置を変化させて一層強調した図である。
【図１１】実施の形態１の映像表示システムの変形例を示すブロック図である。
【図１２】図１１に示す映像表示システムのプロジェクタ装置で使用するリモコンのキー配置を示す図である。
【図１３】実施の形態２に係る映像表示システムを示す斜視図である。
【図１４】図１３の映像表示システムを構成するプロジェクタ装置とＤＶＤプレイヤの概略構成を示すブロック図である。
【図１５】スクリーンのみに主映像とメニュー画面を重畳して投影した図１３の映像表示システムの斜視図である。
【図１６】実施の形態３に係る映像表示システムを示す斜視図である。
【図１７】図１６の映像表示システムを構成するテレビ受信機とデジタルカメラの概略構成を示すブロック図である。
【図１８】主映像とメニュー画面とをテレビ受信機のディスプレイに重畳表示した図１６の映像表示システムの斜視図である。
【符号の説明】
【００５８】
１                映像表示システム
２                プロジェクタ装置
２ａ              メニュー表示釦
２ｂ              切替釦
２ｃ              スピーカ
２ｄ              通信部
２ｅ              制御部
２ｆ              メモリ
２ｇ              信号処理部
２ｈ              像形成部
２ｉ              メニュー信号出力部
２ｊ              光源
２ｋ              カラーフィルタ
２ｍ              照明光学系
２ｎ              投影光学系
２ｐ              受信部
２ｑ              アンテナ
３                ＰＣ装置
３ａ              メモリ
３ｂ              操作部
３ｃ              制御部
３ｄ              通信部
３ｅ              ディスプレイ
３ｆ              信号処理部
３ｇ              映像信号入力部
３ｈ              アンテナ
８                リモコン
１０              映像表示システム
１１              ＤＶＤプレイヤ
１１ａ            メモリ
１１ｂ            操作部
１１ｃ            制御部
１１ｄ            通信部
１１ｅ            デコーダ
１１ｆ            ドライブユニット
１１ｇ            映像信号入力部
２０              映像表示システム
２１              テレビ受信機
２１ａ            メニュー表示釦
２１ｂ            切替釦
２１ｃ            スピーカ
２１ｄ            入出力部
２１ｅ            制御部
２１ｆ            メモリ
２１ｇ            信号処理回路
２１ｈ            ディスプレイ
２１ｉ            中間周波数処理部
２１ｊ            チューナ
２１ｋ            アンテナ
２２              デジタルカメラ
２２ａ            制御部
２２ｂ            ディスプレイ
２２ｃ            レンズ
２２ｄ            ＣＣＤ素子
２２ｅ            アンプ
２２ｆ            Ａ／Ｄ変換回路
２２ｇ            信号処理部
２２ｈ            入出力部
２２ｉ            記録媒体
Ｉm               主映像
Ｓm               メニュー画面
Ｓd               影
【図１】
2006234909.tif 000003
【図２】
2006234909.tif 000004
【図３】
2006234909.tif 000005
【図４】
2006234909.tif 000006
【図５】
2006234909.tif 000007
【図６】
2006234909.tif 000008
【図７】
2006234909.tif 000009
【図８】
2006234909.tif 000010
【図９】
2006234909.tif 000011
【図１０】
2006234909.tif 000012
【図１１】
2006234909.tif 000013
【図１２】
2006234909.tif 000014
【図１３】
2006234909.tif 000015
【図１４】
2006234909.tif 000016
【図１５】
2006234909.tif 000017
【図１６】
2006234909.tif 000018
【図１７】
2006234909.tif 000019
【図１８】
2006234909.tif 000020